(57)【要約】【課題】配送者が、運送会社の提供するサービスにおける顧客からの指示情報を正確に効率的に確認できる配送伝票を提供する。【解決手段】裏面に粘着剤層が設けられ、前記粘着剤層に剥離紙が貼付された封筒下紙と、前記封筒下紙の上方に重ねられた２枚の封筒上紙と、が三周縁部分で接着され一辺開口型の封筒部が形成され、封筒下紙と封筒上紙の間に封筒部から抜き取り可能な状態で抜き取り用伝票が設けられ、前記重ねられた２枚の封筒上紙の内、下側の封筒上紙には、封筒下紙と重ねられ接着された三周縁部分のうち対向する二周縁部分に複数の切り欠き部が設けられ、封筒下紙上の三周縁部分に接着剤が塗布され、前記重ねられた２枚の封筒上紙の内、上側の封筒上紙は前記切り欠き部を通して前記接着剤と接着され、前記２枚の封筒上紙には、封筒部が形成された底辺部分の接着部に沿って前記２枚の封筒上紙を切り取るためのミシン目が形成されている。【選択図】        図１
2011240640.tif 000002
【特許請求の範囲】
【請求項１】
裏面に粘着剤層が設けられ、前記粘着剤層に剥離紙が剥離可能に貼付された封筒下紙と、前記封筒下紙の上方に重ねられた２枚の封筒上紙と、が三周縁部分で接着されて一辺開口型の封筒部が形成され、前記封筒下紙と前記封筒上紙の間に前記封筒部から抜き取り可能な状態で抜き取り用伝票が設けられている配送伝票であって、
前記重ねられた２枚の封筒上紙の内、下側の封筒上紙には、前記封筒下紙と重ねられ接着された三周縁部分のうち対向する二周縁部分に複数の切り欠き部が設けられ、前記封筒下紙上の三周縁部分に接着剤が塗布され、前記重ねられた２枚の封筒上紙の内、上側の封筒上紙は前記切り欠き部を通して前記接着剤と直接接着され、前記２枚の封筒上紙には、少なくとも前記封筒部が形成された底辺部分の接着部に沿って前記２枚の封筒上紙を切り取るためのミシン目が形成されていることを特徴とする配送伝票。
【請求項２】
前記重ねられた２枚の封筒上紙には、前記配送伝票を貼付して配送する配送物の配送時間帯に応じて使い分ける識別表示が示されていることを特徴とする請求項１記載の配送伝票。
【請求項３】
前記重ねられた２枚の封筒上紙には、前記配送伝票を貼付して配送する配送物の配送時間帯に応じて使い分ける識別情報に応じた異なる色が前記封筒上紙に表示されていることを特徴とする請求項１記載の配送伝票。
【請求項４】
前記封筒上紙の上側に一辺側で接着された切り取り可能な伝票が設けられ、更に前記抜き取り用伝票が複数枚重ねられて設けられていることを特徴とする請求項１〜３のいずれかに記載の配送伝票。
【発明の詳細な説明】
【技術分野】
【０００１】
本発明は、運送業者などが宅配荷物や配送商品を配送する際に、それらの配送物に貼付して使用する配送伝票に関する。
【背景技術】
【０００２】
従来、宅配荷物や配送商品を運送業者が配送する際には、それらの配送物に配送伝票を貼付するなどして処理しており、それらの配送伝票として種々の構成のものが知られている。（例えば、特許文献１〜５、参照）
近年、インターネットなどの通信技術の発展も影響して、特にネット上で商品の購入を行い、それらの購入商品を、自宅などに配送するいわゆる宅配便を使用して届けるサービルを提供する通信販売の利用が増えていることなどから、宅配便を運営する運送会社が取り扱う配送物も多くなっている。
【先行技術文献】
【特許文献】
【０００３】
【特許文献１】特開２００１−３５３９８６号公報
【特許文献２】特開２００２−１２７６４４号公報
【特許文献３】特開２００２−１４４７６７号公報
【特許文献４】特開２００８−１２６９２号公報
【特許文献５】特開平７−３１４９４３号公報
【０００４】
また、このような宅配便市場が拡大している反面、宅配便を運営する運送会社同士の生き残り競争も厳しくなっていることから、顧客のニーズに応じた様々なサービスを提供することが運送会社にとって必要になっている。
そのサービスの１つとして、例えば顧客の指定する時間帯に応じて配送する配送時間帯別サービスがある。
この配送時間帯別サービスでは、配送指定日のお届け時間帯として、運送会社が予め設定した時間帯のうちから顧客が希望する時間帯に配送するようにしたものである。
【０００５】
このような配送時間帯別サービスを提供するために、従来の配送伝票では、例えば、裏面に粘着剤層が設けられ、前記粘着剤層に剥離紙が剥離可能に貼付された封筒下紙と、前記封筒下紙の上方に重ねられた封筒上紙と、が三周縁部分で接着されて一辺開口型の封筒部が形成され、前記封筒下紙と前記封筒上紙の間に前記封筒部から抜き取り可能な状態で抜き取り用伝票が設けられている仕様の配送伝票が使用され、その封筒上紙に配送時間帯別サービスに関する表示を設けて、配送物の取り扱い担当者などが、顧客の要求する時間帯を記入、または予め表示されている配送時間帯を示す識別表示に丸印などの印を記入などすることで運用している。
【０００６】
しかしながら、運送会社できめ細かな種々のサービスを展開することは、実際に配送を担当する配送者にとって覚えておかなければならない処理手順も増えることになり、また経験の浅い配送者もいることなどもあり、配送伝票上の指示記載を見落としてうっかり決められた配送時間帯以外の時間帯に配送してしまうというミスが生じる危険性があるという問題がある。
また、配送時間帯別サービスに限定されるだけでなく、実際に配送を担当する配送者が配送物毎に指定されたサービスを提供する場合でも、従来の配送伝票では配送物に貼付する配送伝票の最上位の伝票が決まっていることから、種々のサービスを運送会社が提供する上で指示情報の確認が行いにくいという問題がある。
【発明の概要】
【発明が解決しようとする課題】
【０００７】
そこで、本発明は、実際に配送を担当する配送者が配送物毎に指定されたサービスを提供する場合でも、運送会社が提供する種々のサービスにおける顧客からの指示情報を正確に効率的に確認することができる配送伝票を提供する。
また、特に、運送会社が提供する配送時間帯別サービスなどのサービスを運用する際でも、配送物に貼付された配送伝票から短時間で効率的に顧客の要求する時間帯などの指示情報を確認することができる配送伝票を提供する。
【課題を解決するための手段】
【０００８】
本発明の配送伝票は、裏面に粘着剤層が設けられ、前記粘着剤層に剥離紙が剥離可能に貼付された封筒下紙と、前記封筒下紙の上方に重ねられた２枚の封筒上紙と、が三周縁部分で接着されて一辺開口型の封筒部が形成され、前記封筒下紙と前記封筒上紙の間に前記封筒部から抜き取り可能な状態で抜き取り用伝票が設けられている配送伝票であって、前記重ねられた２枚の封筒上紙の内、下側の封筒上紙には、前記封筒下紙と重ねられ接着された三周縁部分のうち対向する二周縁部分に複数の切り欠き部が設けられ、前記封筒下紙上の三周縁部分に接着剤が塗布され、前記重ねられた２枚の封筒上紙の内、上側の封筒上紙は前記切り欠き部を通して前記接着剤と直接接着され、前記２枚の封筒上紙には、少なくとも前記封筒部が形成された底辺部分の接着部に沿って前記２枚の封筒上紙を切り取るためのミシン目が形成されていることを特徴とする。
【０００９】
また、本発明の配送伝票は、前記重ねられた２枚の封筒上紙には、前記配送伝票を貼付して配送する配送物の配送時間帯に応じて使い分ける識別表示が示されていることを特徴とする。
【００１０】
更に、前記重ねられた２枚の封筒上紙には、前記重ねられた２枚の封筒上紙には、前記配送伝票を貼付して配送する配送物の配送時間帯に応じて使い分ける識別情報に応じた異なる色が前記封筒上紙に表示されていることを特徴とする。
【００１１】
また、本発明の配送伝票は、前記封筒上紙の上側に一辺側で接着された切り取り可能な伝票が設けられ、更に前記抜き取り用伝票が複数枚重ねられて設けられていることを特徴とする。
【発明の効果】
【００１２】
したがって、本発明の配送伝票は、封筒下紙と封筒上紙の間に封筒部から抜き取り可能な状態で抜き取り用伝票が設けられた伝票構成において、２枚の封筒上紙が重ねられ、必要に応じて剥離できる状態となっているので、運送会社が提供する種々のサービスを運用する場合でも、サービス毎に２枚の封筒上紙を選択して使用でき、配送担当者が顧客からの指示情報を正確に効率的に確認することができるという効果がある。
【００１３】
また、本発明の配送伝票は、重ねられた２枚の封筒上紙に、配送伝票を貼付して配送する配送物の配送時間帯に応じて使い分ける識別表示が示されていることや、また、配送伝票を貼付して配送する配送物の配送時間帯に応じて使い分ける識別情報として、封筒上紙毎に異なる色が表示されていることで、配送時間帯別サービスなどで配送時間帯に応じて異なる封筒上紙を使用することで、配送担当者が顧客からの指示情報を正確に効率的に確認することができるという効果がある。
【図面の簡単な説明】
【００１４】
【図１】本発明の実施形態に係る配送伝票の斜視図である。
【図２】図１のＡ−Ａ線断面図である。
【図３】図１のＢ−Ｂ線断面図である。
【図４】本発明の実施形態に係る配送伝票であって、最上位の配送伝票の一部をめくり上げた状態を示す斜視図である。
【図５】本発明の実施形態に係る配送伝票であって、各配送伝票を分離させた状態を示す斜視図である。
【図６】本発明の実施形態に係る配送伝票であって、上位側にある２枚の配送伝票を分離させた状態を示す斜視図である。
【図７】本発明の他実施形態に係る配送伝票であって、各配送伝票を分離させた状態を示す斜視図である。
【発明を実施するための形態】
【００１５】
以下、本発明の実施形態に係る配送伝票を図面に基づいて詳細に説明する。
本発明の実施形態に係る配送伝票１は、図１乃至図３に示すように、上側から順番に、控え用伝票２と、２枚の封筒上紙３ａ，３ｂと、抜き取り用伝票４と、封筒下紙５とが重ねられた構成を有している。
また、封筒下紙５は、裏面に粘着剤層６が設けられ、前記粘着剤層６には剥離紙７が剥離可能に貼付されている。
そして、剥離紙７を剥離することで、配送伝票１を粘着剤層６により配送物に貼付できるように構成されている。
控え用伝票２は、封筒上紙３ａの左側端辺に沿って塗布された接着剤８により封筒上紙３ａと接着され、またその接着剤８の右側に沿って形成された切り取りミシン目９により切り取り可能に設けられている。
これにより、図４に示すように、控え用伝票２は、必要に応じて控え用伝票２をめくり上げて切り離して使用される。
【００１６】
次に、２枚の封筒上紙３ａ，３ｂと、抜き取り用伝票４と、封筒下紙５との構成について説明する。
図５に示すように、配送伝票１の長辺方向を横方向とし、また短辺方向を縦方向とした場合に、抜き取り用伝票４は、２枚の封筒上紙３ａ，３ｂ及び抜き取り用伝票４に比べて縦方向の寸法が狭い寸法で形成されている。
そして、抜き取り用伝票４は、２枚の封筒上紙３ａ，３ｂと、抜き取り用伝票４との間に挟まれて設けられた際に、封筒下紙５の上側と下側の横方向の端辺部分の領域に、抜き取り用伝票４が重ならない領域ができる状態で、伝票が重ねられている。
【００１７】
また、封筒下紙５の上面には、右側の端辺側を除く他の３周縁側に接着剤１０が塗布されている。
この接着剤１０が塗布されている部分のうち、封筒下紙５の上側と下側の横方向の端辺側領域の接着剤部分は、抜き取り用伝票４が重ならない状態となっている。
次に、重ねられた２枚の封筒上紙３ａ，３ｂの内、下側に位置する封筒上紙３ｂには、封筒下紙５と重ねられて接着剤１０で接着された三周縁部分のうち上側と下側の横方向にある対向する二周縁部分に複数の円弧状の切り欠き部１１が設けられている。
この切り欠き部１１の切り欠き形状としては、上記したような円弧状に限定されるものではなく、様々な形状の切り欠きを設けることができる。
また、複数の円弧状の切り欠き部１１は、所定間隔で設けることが好ましい。
【００１８】
この複数の円弧状の切り欠き部１１が封筒上紙３ｂに設けられていることで、封筒下紙上の三周縁部分に接着剤１０が、その切り欠き部１１を通して直接封筒上紙３ｂの裏面と接着されている。
したがって、２枚の封筒上紙３ａ，３ｂは、封筒下紙上の三周縁部分に接着剤１０により部分的に接着されている。
これらの構成により、封筒下紙５と、前記封筒下紙５の上方に重ねられた２枚の封筒上紙３ａ，３ｂと、が三周縁部分で接着されて一辺開口型の封筒部が形成され、前記封筒下紙５と前記封筒上紙３ｂの間に前記封筒部から抜き取り可能な状態で抜き取り用伝票４が設けられている。
【００１９】
また、重ねられた２枚の封筒上紙３ａ，３ｂには、前記配送伝票１を貼付して配送する配送物の配送時間帯に応じて使い分ける識別表示が示されている。
これらの識別表示は、例えば図５に示すように、封筒上紙３ａの表面に「午前」の文字を楕円で囲む識別表示１７を設け、また封筒上紙３ａの表面に「午後」の文字を四角で囲む識別表示１８を設けるなどして、配送物を配送する担当者が一目で簡単に識別できるようにしてある。
尚、この識別表示は、上記に限定されるものではなく、識別しやすい様々な表示を行なえばよい。
【００２０】
また、更に、重ねられた２枚の封筒上紙３ａ，３ｂには、前記配送伝票１を貼付して配送する配送物の配送時間帯に応じて使い分ける識別情報に応じた異なる色が、前記封筒上紙３ａ，３ｂに表示されている。
これは、依頼者が指定する配送の時間帯の識別を、印刷インキの色の違いにより行うものである。
例えば、重ねられた２枚の封筒上紙３ａ，３ｂ毎に色の異なるインキで記入欄などを印刷、また、例えば図５に示すように、封筒上紙３ａの表面に表示した「午前」の文字を楕円で囲む識別表示１７と、また封筒上紙３ａの表面に表示した「午後」の文字を四角で囲む識別表示１８と、を異なる色のインキで印刷しておくことで、より簡単に依頼者が指定する配送の時間帯の識別を行うことができるようにしたものである。
【００２１】
また、控え用伝票２と、２枚の封筒上紙３ａ，３ｂと、抜き取り用伝票４とには、左側に設けられた接着剤８，１２，１３に沿って、切り取りミシン目１４，１５，１６が形成されている。
これらの切り取りミシン目１４，１５，１６により、必要に応じて各伝票を切り取ることができるように構成されている。
【００２２】
本発明の配送伝票１では、封筒部を形成する上方に重ねられた２枚の封筒上紙３ａ，３ｂが、その対向する横方向の端辺部分において、封筒下紙５に設けられた接着剤１０とそれぞれが部分的に接着されているので、封筒部の開口側を指で摘んで引き上げることで接着部分から分離させて引き剥がすことが可能に構成されている。
したがって、２枚の封筒上紙３ａ，３ｂのうち、上側の封筒上紙３ａをそのままの状態で配送する場合には、配送物のお届け時間帯が午前であり、また、その配送物が午後のお届け時間帯である場合には、上側の封筒上紙３ａを摘んで引き剥がして、封筒上紙３ｂが表側になるようにすることで、簡単に配送時間帯の識別ができる状態として配送処理が行えるように構成されている。
【００２３】
図６には、本発明の配送伝票１の構成をわかりやすく説明するために、控え用伝票２と封筒上紙３ａを分離させ、封筒上紙３ｂと抜き取り用伝票４と封筒下紙５により配送物に貼付させる状態が示されている。
図６に示した状態の配送伝票１では、配送物の依頼人が午後の配達時間帯を指定した場合である。
また、配送物の依頼人が、午前の配達時間帯を指定した場合には、封筒上紙３ａを封筒上紙３ｂの上側に重ねた状態のまま配送物に貼付させて配達する。
上記したように、本発明の配送伝票１では、依頼者の希望する配送時間帯に応じて重ねられた２枚の封筒上紙３ａ，３ｂのうち、上側にある封筒上紙３ａをそのままの状態にしておくか、または取り去るかを選択すればよい。
【００２４】
また、本発明の配送伝票１は、図７に示すように、必要に応じて、控え用伝票２や抜き取り用伝票４の枚数を増やした構成とすることができる。
図７では、控え用伝票２ａ，２ｂ，２ｃ，２ｄが４枚で、抜き取り用伝票４ａ，４ｂ，ｃが３枚という構成の配送伝票１が示されているが、このように必要に応じた伝票枚数を設ければよい。
【００２５】
上記のように、本発明の配送伝票１は、運送会社が顧客に提供する配送時間帯別サービスなどのサービスにおいて、顧客からの要望に応じて配送物に貼付されている最上部の伝票を簡単に変えることができるので、配送担当者が顧客からの指示情報を正確に効率的に確認することができる。
また、本発明の配送伝票１は、配送時間帯別サービスに限定されるものではなく、その他の様々なサービスに適応できるもので、そのサービスに応じて封筒上紙３ａ，３ｂに表示する識別情報を変えればよい。
【符号の説明】
【００２６】
１  配送伝票
２，２ａ，２ｂ，２ｃ，２ｄ  控え用伝票
３ａ，３ｂ  封筒上紙
４  抜き取り用伝票
５  封筒下紙
６  粘着剤層
７  剥離紙
８，１０，１２，１３  接着剤
９，１４，１５，１６  切り取りミシン目
１１  切り欠き部
１７，１８  識別表示
【図１】
2011240640.tif 000003
【図２】
2011240640.tif 000004
【図３】
2011240640.tif 000005
【図４】
2011240640.tif 000006
【図５】
2011240640.tif 000007
【図６】
2011240640.tif 000008
【図７】
2011240640.tif 000009